(57)【要約】【課題】  ベクトル変調信号を、振幅信号と位相信号に分離し、再度結合を行なうEER歪補償装置において、歪特性の優れた歪補償装置及びその方法を提供する。【解決手段】ベクトル変調信号を、振幅信号と位相信号に分離し、再度結合を行なうEER変調増幅方式における歪補償装置において、振幅補正部１００が電力増幅器５８の振幅変調出力信号の歪み成分を算出して補正し、位相誤差算出部１０２が電力増幅器５８の位相変調出力信号の誤差成分を算出し、位相補正部１０３が補正された振幅成分より位相回転量を算出し、更にその位相回転量および位相誤差算出部１０２で算出された位相誤差成分より電力増幅器５８の位相変調出力信号の歪み成分を算出して補正することで、高精度の歪み補償処理が可能となる。【選択図】図１
2006253749.tif 000002
【特許請求の範囲】
【請求項１】
ベクトル変調信号を、振幅信号と位相信号に分離し、再度結合を行なう電力増幅器のＥＥＲ歪補償装置において、
電力増幅器への入力信号から振幅信号と位相信号の分離を行う分離手段と、
電力増幅器の出力信号から振幅信号成分と位相信号成分とを抽出する抽出手段と、
抽出された前記振幅信号成分と分離された前記振幅信号との差分情報に基づいて、分離された前記振幅信号の補正を行なう振幅補正手段と、
抽出された前記位相信号成分と分離された前記位相信号成分との差分情報および補正された前記振幅信号より算出された位相回転情報に基づいて、分離された前記位相信号の補正を行う位相補正手段とを有し、
補正された振幅信号に基づいて位相信号を補正することを特徴とする歪補償装置。
【請求項２】
ベクトル変調信号を、振幅信号と位相信号に分離し、再度結合を行なう電力増幅器のＥＥＲ歪補償方法において、
分離手段が電力増幅器への入力信号から振幅信号と位相信号の分離を行うステップと、
抽出手段が電力増幅器の出力信号から振幅信号成分と位相信号成分とを抽出するステップと、
振幅補正手段が抽出された前記振幅信号成分と分離された前記振幅信号との差分情報に基づいて、分離された前記振幅信号の補正を行なうステップと、
位相補正手段が抽出された前記位相信号成分と分離された前記位相信号成分との差分情報および補正された前記振幅信号より算出された位相回転情報に基づいて、分離された前記位相信号の補正を行うステップとを有し、
補正された振幅信号に基づいて位相信号を補正することを特徴とする歪補償方法。
【請求項３】
ベクトル変調信号を、アナログ信号処理で振幅信号と位相信号に分離し、再度結合を行なう電力増幅器のＥＥＲ歪補償装置において、
電力増幅器への入力信号から振幅信号と位相信号の分離を行う分離手段と、
電力増幅器の出力信号から位相信号成分を抽出する抽出手段と、
電力増幅器の出力信号から抽出された前記位相信号成分を除去して振幅信号成分を抽出する振幅成分抽出手段と、
抽出された前記振幅信号成分と分離された前記振幅信号との差分情報に基づいて、分離された前記振幅信号に対し補正を行う振幅補正手段と、
分離された前記位相信号を補正する移相手段とを有し、
前記移相手段に入力される位相補正情報は、前記抽出された位相信号成分と分離された前記位相信号との差分情報、および補正された前記振幅信号より算出された位相回転情報に基づく情報であることを特徴とする歪補償装置。
【発明の詳細な説明】
【技術分野】
【０００１】
本発明は、高効率かつ低歪な変調増幅装置に関するものである。
【背景技術】
【０００２】
電力増幅器、特に高周波増幅器は近年各種携帯機器等に使用されている。これらの機器で消費電力が最も高いのは、この電力増幅器である。このため、電力増幅器の効率は携帯機器の電池寿命に大きく影響を及ぼす。従って電力増幅器の高効率化が望まれている。効率の高い電力増幅器としてＣ級、Ｄ級、Ｅ級、Ｆ級等の電力増幅器があるが、これらは非線形アンプであるため一定振幅の信号しか増幅することができない。しかるに、近年においてデ−タ伝送速度を向上させるため、デ−タを多値化した変調方式の採用が増加している。多値化された変調信号の包絡線は一定ではないため、これらの非線形アンプを直接用いることはできない。また、デ−タ伝送速度の向上に伴い、ベ−スバンド信号の帯域は広帯域化される傾向にあるが、広帯域化に伴い、その手法として、ＣＤＭＡのような拡散方式や、ＯＦＤＭなどのマルチキャリア方式、またはそれらを組み合わせたものなどがある。これらの方式は高度な線形性が要求されるためピークファクタ(信号振幅の平均値と最大値の比)を大きくしてしまうが、ピークファクタが大きくなるほど電力増幅器の動作点レベルが下がり、効率の低い領域で動作させる必要がある。
【０００３】
この様に、従来の線形電力増幅器においては効率と線形性はトレ−ドオフの関係にあるが、この改善策として、極変調方式がある。この方式は効率と線形性を同時に両立することが可能でり、一般的にＥＥＲ(Ｅnvelope Ｅliminａtion Ａnd Ｒestoration)として知られている。
このＥＥＲ方式では、変調信号を一度位相情報と振幅情報に分離し、一定包絡の位相情報を電力増幅器の入力信号として使用する。そして振幅情報を振幅成分増幅器で増幅した後、電力増幅器の電源として再結合され、増幅された線形信号が得られる方式である。
ただし、このＥＥＲ方式においても完全な線形成分は得られず非線形成分を生じるため、電力増幅器出力に歪みが発生する。この非線形の影響を抑圧して歪み補償を行なうため、従来のＥＥＲ方式の歪補償装置においては、図５のような構成が知られている。（例えば特許文献１および特許文献２）
以下、図５を用いて従来のＥＥＲ方式の歪補償装置の動作を説明する。ベ−スバンド（Ｂ.Ｂ.）入力信号は信号マッパ５２により直交座標系上で所定の信号にマッピングされる。そして時間整列回路５３はマッピングされたデ−タを時間的にシリアルデ−タとして整列させる。ＢＬＦ(帯域制限フィルタ)５４ａおよび５４ｂで同相（Ｉ）直交（Ｑ）信号のフィルタリングを行い、直交／極座標変換器５５により位相／振幅信号に分割される。振幅信号はベースバンド信号の絶対値を算出することにより算出され、位相信号はベースバンド振幅信号のＩ／Ｑ成分より算出される。算出されたデータは、振幅成分については時間軸に対する1次元の電圧信号、位相成分については２次元の電圧信号となる。
分割された信号は振幅補正回路５６、位相補正回路５７を介し、振幅信号は電力増幅器５８の電源電圧に、位相信号は電力増幅器５８の入力部に印加される。これにより電力増幅器５８において振幅と位相が合成され、変調信号が増幅されて再生される。再生された信号は送信信号としてアンテナ５１３に送信されると共に、カプラ５９により取り出され角度測定回路５１０と振幅測定回路５１１により電力増幅器５８出力信号の非線形成分である位相／振幅成分情報が測定される。この測定値はＬＵＴ５１２に入力され補正値が算出される。算出された補正値に基づいて、振幅補正回路５６および位相補正回路５７でそれぞれ振幅および位相が補正される。
ＬＵＴ５１２には、位相/振幅信号各々について電力増幅器５８の出力信号の最大から最小までの値に対して、予め算出した線形増幅特性との誤差を補正する補正値（キャリブレーションデータ）が保存されている。電力増幅器５８の出力信号に位相／振幅の差分成分が発生している場合、この補正値に基づいて振幅補正回路５６および位相補正回路５７で電力増幅器５８の入力信号の振幅値と位相を補正することで差分成分が打ち消される。従って、歪特性を改善した出力を得ることができる。なお、キャリブレーションデータの算出方法は（特許文献１）に詳しく開示されている。
この様に、従来技術によるＥＥＲ方式での歪補償回路では、一般的な電力増幅器と同様に、位相信号と振幅信号を同時に補正している。
【特許文献１】特表２００４−５０１５２７号公報
【特許文献２】特表２００２−５００８４６号公報
【発明の開示】
【発明が解決しようとする課題】
【０００４】
しかしながら、振幅と同時に位相補正をかける上記従来のＥＥＲ方式の歪補償装置の位相補正方法では、振幅変調信号の補正により生じた位相の回転量のため、実際の位相補正値は目標とする補正値と一致しない。何故なら、電力増幅器の電源電圧（ドレイン電圧）に対する利得特性により、ＥＥＲ方式の特徴である電源電圧に振幅変調信号を入力すると、その入力振幅変調信号の補正が行われた時点で位相の回転量も変化してしまうためである。従って、振幅補正と同時に位相特性を正確に補正することはできないため、位相補正値に誤差が生じてしまう。
以下、電力増幅器の電源電圧（ドレイン電圧）に対する利得特性を元に、位相補正動作の課題について図６を用いて詳細に説明する。
図６(ａ)は電力増幅器の電源電圧（ドレイン電圧）に対する利得特性の実特性の一例を示したものである。この特性で示すように、利得特性の実特性は線形でないため、これを線形化するために実特性の逆特性である補正特性を算出する必要がある。本例では、補正特性における利得特性は図６（ａ）に示すように実特性における利得より小さくする必要がある。従って、利得を下げるため、電力増幅器に印加される補正された電源電圧（ドレイン電圧）は実特性より小さくなる。
【０００５】
次に位相特性の補正について考える。図６(ｂ)は電力増幅器の電源電圧（ドレイン電圧）に対する位相特性を示したものである。本特性に示すとおり、電力増幅器の位相特性は電源電圧により一意に決定できる。しかし、図６（ａ）に示したとおり、先に算出した振幅電圧の補正値の電源電圧（ドレイン電圧）は、補正前と比較して変化している（下がっている）ことに注意しなければならない。この様に、位相特性は電力増幅器の振幅値（利得特性）に対応する電源電圧（ドレイン電圧）が決定されていない限り補正デ−タを算出することができないことは明らかであり、同時に補償をかけた場合は補正デ−タが変更されてしまう。従って、位相信号の補正は、補正された振幅信号レベルに対して決定されない限り所望の補償を行うことが不可能となる。
本発明は、ＥＥＲ方式の電圧増幅器の歪補償装置における上記従来の課題を解決し、高精度の位相補正を行なうことが出来る優れた歪補償装置およびその方法を提供することを目的とする。
【課題を解決するための手段】
【０００６】
前記従来の課題を解決するため、電力増幅器への入力信号から振幅信号と位相信号の分離を行う分離手段と、電力増幅器の出力信号から振幅信号成分と位相信号成分とを抽出する抽出手段と、抽出された振幅信号成分と分離された振幅信号との差分情報に基づいて、分離された振幅信号の補正を行なう振幅補正手段と、抽出された位相信号成分と分離された位相信号成分との差分情報および補正された振幅信号より算出された位相回転情報に基づいて、分離された位相信号の補正を行う位相補正手段とを有し、補正された振幅信号に基づいて位相信号を補正することを特徴とする構成を採る。従って、振幅補正後の位相補正値を目標の補正値と正確に一致させることができる。
また、本発明は、分離手段が電力増幅器への入力信号から振幅信号と位相信号の分離を行うステップと、抽出手段が電力増幅器の出力信号から振幅信号成分と位相信号成分とを抽出するステップと、振幅補正手段が抽出された振幅信号成分と分離された振幅信号との差分情報に基づいて、分離された振幅信号の補正を行なうステップと、位相補正手段が抽出された位相信号成分と分離された位相信号成分との差分情報および補正された振幅信号より算出された位相回転情報に基づいて、分離された位相信号の補正を行うステップとを有し、補正された振幅信号に基づいて位相信号を補正する手順を採る。従って、振幅補正後の位相補正値を目標の補正値と正確に一致させることができる。
また、本発明は、電力増幅器への入力信号から振幅信号と位相信号の分離を行う分離手段と、電力増幅器の出力信号から位相信号成分を抽出する抽出手段と、電力増幅器の出力信号から抽出された位相信号成分を除去して振幅信号成分を抽出する振幅成分抽出手段と、抽出された振幅信号成分と分離された振幅信号との差分情報に基づいて、分離された振幅信号に対し補正を行う振幅補正手段と、分離された位相信号を補正する移相手段とを有し、移相手段に入力される位相補正情報は、抽出された位相信号成分と分離された位相信号との差分情報、および補正された振幅信号より算出された位相回転情報に基づく情報であることを特徴とする構成を採る。従って、本構成はアナログの回路構成で実現できるため、高度な数値演算信号処理部を具備する事無く振幅補正後の位相補正値を目標の補正量と一致させることが可能となる。
【発明の効果】
【０００７】
本発明の歪補償装置及び歪補償方法によれば、位相信号成分の補正については増幅器に印加される振幅補正値を元に補正を行なうため、振幅補正後の位相補正値を目標の補正量と正確に一致させることが可能となる。従って、高精度な位相補正が可能となる。
また、本発明の歪補償装置及び歪補償方法によれば、電力増幅器における振幅および位相特性の線形補償をアナログ信号処理部において行なうことにより、高度な数値演算信号処理部を具備することなく、安価な構成で歪特性を改善することができる。
【発明を実施するための最良の形態】
【０００８】
本発明では、従来のＥＥＲ方式の歪補償装置に、補正された振幅信号に基づいた位相特性補正装置および方法を備えることにより歪特性の改善を実現した。
【０００９】
以下、本発明を実施するための最良の形態について図面を参照しながら説明する。
【実施例１】
【００１０】
図1は、本発明の歪補償装置の実施例１の形態を示すブロック構成図である。ここでは従来例の説明で使用した図５の直交・極変換器５５以降を切り出した部分について、説明している。本実施例では、Ｂ．Ｂ．（ベースバンド）入力から直交・極変換部５５までの構成と動作は従来例の図５と同一である。また、既に従来構成（図５）で説明したブロックと同一のブロック（同一番号で指定）に加え、それぞれ破線で示された振幅補正部１００、位相振幅成分抽出部１０１、位相誤差算出部１０２、位相補正部１０３で構成される。更に付加回路としてＡＤ変換器（ＡＤ）１１および１１０、ＤＡ変換器（ＤＡ）１４および１１３、電流増幅器１５、ミキサ１１４、局部発振器（Ｌｏ）１１５を備える。
振幅補正部１００は遅延器（ｄｅｌａｙ）１２、遅延器（ｄｅｌａｙ）１７、加算器１８、ルックアップテ−ブル(ＬＵＴ)１９、加算器１３で構成され、電力増幅器５８の出力振幅値の補正処理を行なう。位相振幅成分抽出部１０１は直交／極変換器１１７、ＡＤ変換器（ＡＤ）１１８および１１９で構成され、出力信号の振幅値および位相の抽出処理を行なう。位相誤差算出部１０２は遅延器（ｄｅｌａｙ）１２０、加算器１２１で構成され、抽出された位相の誤差値の算出処理を行なう。位相補正部１０３は遅延器（ｄｅｌａｙ）１１１、ルックアップテ−ブル(ＬＵＴ)１２２、加算器１１２で構成され、算出された振幅補正値と位相誤差値より位相の補正値を算出する処理を行なう。
以上の様に構成された歪補償装置において、図１と図２を用いてその動作を詳細に説明する。図２は、本発明の歪み補償方法の実施手順を示している。以下図２の手順について説明する。
【００１１】
まず従来例と同様に、ベクトル変調信号を生成し（ステップ２００）、位相情報と振幅情報に分離する（ステップ２０１）。分離された信号は振幅レベルを算出される（ステップ２０２）。一方ステップ２０３では電力増幅器出力信号の位相／利得情報が抽出される。抽出された振幅情報と、先にステップ２０２で算出された振幅値との誤差値を算出し（ステップ２０４）、その誤差値を元に図６（ａ）で説明した利得特性より振幅補正値が算出される（ステップ２０５）。算出された振幅補正値は電力増幅器の電源部に印加され（ステップ２１０）、振幅変調が行われる。そして、この振幅補正値に基づいて利得特性が更新される（ステップ２１１）。一方ステップ２０３で抽出された位相情報とステップ２０１で分離された位相情報との誤差情報が算出される（ステップ２０７）。この位相誤差情報とステップ２０５で算出された振幅補正値に基づいて、この振幅補正値に対する電力増幅器における位相回転量が算出される（ステップ２０６）。この位相回転量を分離された位相情報より減算し、その減算値を元に図６（ｂ）で説明した位相特性より位相補正値が算出される（ステップ２０８）。算出された位相補正値は電力増幅器の入力に印加される（ステップ２０９）。そして、この位相補正値に基づいて位相特性が更新される（ステップ２１１）。
上記手順に従い、本発明の歪補償装置の実施例１の動作を図１を用いて説明する。
直交／極変調部５５で位相／振幅分離された（ステップ２０１）ベースバンド信号のアナログ振幅情報はアナログデジタル変換器（ＡＤ）１１でディジタル信号に変換され振幅レベルを算出される（ステップ２０２）。そして、遅延回路（ｄｅｌａｙ）1２、加算回路1３を介して補正され（ステップ２０４、２０５）、デジタルアナログ変換器（ＤＡ）1４でアナログ変換され電流増幅器１５に入力される。なお、補正動作は帰還ループなので後述する。電流増幅器１５は電力増幅器５８の電源すなわち電流供給源として動作し、かつ電源電圧は電力増幅器５８出力である変調信号の振幅成分であるため、電力増幅器５８出力信号は振幅変調される（ステップ２１０）。一方ベースバンド信号の位相情報である位相／振幅分離されたアナログ位相信号（ステップ２０１）はＡＤ１１０でディジタル信号に変換され、遅延回路１１１、加算器１１２を介して補正され（ステップ２０６、２０７、２０８）、ＤＡ変換器１１３によりアナログ信号に変換される。なお、補正動作は帰還ループなので後述する。更に局部発振器（Ｌｏ源）１１５によりミキサ１１４でアップコンバ−トされ高周波(ＲＦ)信号に変換される。変換された信号は電力増幅器５８のＲＦ入力端に印加される（ステップ２０９）。電力増幅器５８でＥＥＲ変調された信号はアンテナ５１３に出力されると共にカプラ５９により分配され、直交／極変換器１１７で振幅信号と位相信号に分離される。
【００１２】
以下、ＥＥＲ変調出力後に分離されて電力増幅器５８の入力に帰還した振幅および位相信号情報を用いて、それぞれの補正動作について説明する。直交／極変換器１１７で分離された振幅／位相信号はＡＤ１１８、１１９によりディジタル信号に変換される。変換された振幅信号は前記振幅補正部１００で振幅補正される。その振幅補正動作について説明する。分離された入力ディジタル振幅信号成分（ステップ２０２）は、位相振幅成分抽出部１０１で分離された（ステップ２０３）電力増幅器５８の出力振幅成分と、遅延回路１７を介して加算器１８で比較される。比較結果より補正する振幅補正値をＬＵＴ１９に記憶された利得特性を用いて算出する（ステップ２０４、２０５）。補正された振幅値がＬＵＴ１９に更新および記憶される（ステップ２１１）。なお、ＬＵＴ１９にはステップ２０５を実行するため、事前デ−タとしてデフォルトデ−タを入力しておく必要がある。デフォルトデ−タは従来例（特許文献１）で開示されている実施例と同様な手段で取得する事が出来る。算出された補正値は加算器１３に入力され、入力ディジタル振幅信号と加算される。以上のような過程により振幅信号に対する補正処理が行われる。
一方、位相振幅成分抽出部１０１で分離されたディジタル位相信号（ステップ２０３）は、遅延器１２０で遅延された入力ディジタル位相信号と前記位相誤差算出部１０２の加算器１２１で比較されて誤差（差分）値が算出され（ステップ２０７）、更に前記位相補正部１０３で位相補正量が算出される（ステップ２０６、２０８）。以下、その補正動作について説明する。位相差分値は前記位相補正部１０３のＬＵＴ１２２に入力される。また、ＬＵＴ１２２には加算器１３から出力される補正された振幅信号値が入力され、位相差分値と補正された振幅値より位相回転量が算出され（ステップ２０６）、ＬＵＴ１２２に記憶および更新される（ステップ２１１）。そして算出された位相位相回転量が加算器１１２に入力され、遅延回路１１１で遅延された入力ディジタル位相信号と加算される（ステップ２０９）。なお、遅延回路は帰還ループによる遅延を調整するために挿入している。以上の様に、本実施例では、ＬＵＴ１２２に記憶および更新される位相回転情報は、補正された振幅情報に基づいて算出されている。
本発明のＥＥＲ方式における歪補償の手順を以下にまとめる。特徴として必ず振幅信号を先に算出する必要がある。
（一）電力増幅器出力の入力レベルに対する位相特性、および振幅特性とその逆特性を明確にするステップ。
（二）変調信号を位相／振幅信号に分離するステップ。
（三）振幅レベルを算出するステップ。
（四）電力増幅器出力より振幅、位相誤差情報を抽出するステップ。
（五）(四)の振幅誤差情報を用いて（一）の振幅特性および逆特性より振幅補正値を算出するステップ。
（六）(四)の位相誤差情報と（五）の振幅補正値を用いて、（一）の位相特性より増幅器における位相回転量を算出するステップ。
（七）元の位相情報より(六)の位相回転量を減算して位相補正するステップ。
次に図３と数式を用いて、具体的に本発明の振幅補正値と位相補正値の算出手順について述べる。まず、図３（ａ）は線形ＡＭＰ（Ｌ．ＡＭＰ）の振幅信号（Ｖｄｄ）と位相信号（ｐｈａｓｅ）に対するＡｍｐ特性、図３（ｂ）は非線形ＡＭＰ（Ｎ.Ｌ．ＡＭＰ）に入力される補正された振幅信号（Ｖｄｄｈｏｓｅｉ）と位相信号（ｐｈａｓｅｈｏｓｅｉ）に対するＡｍｐ特性を示している。算出手順は以下の通りである。
（１）使用する電力増幅器の電源電圧(ドレイン電圧Ｖｄｄ)に対する利得(ｇａｉｎ)、位相特性(ｉｓｏｕ)の近似式を測定デ−タから算出するステップ。
（２）電力増幅器に入力されるベ−スバンドデ−タ(Ｓｉｎ)を線形ＡＭＰ（Ｌ．ＡＭＰ）に入力した場合の出力デ−タ(Ｓｏｕｔ)を算出するステップ。
（３）補正されたベ−スバンド入力デ−タ(Ｓｉｎ＿ｈｏｓｅｉ)を非線型ＡＭＰ（Ｎ．Ｌ．ＡＭＰ）に入力した場合の出力デ−タ(Ｓｏｕｔ＿ｈｏｓｅｉ)を算出するステップ。
（４）上記の出力デ−タが等しくなる(Ｓｏｕｔ＝Ｓｏｕｔ＿ｈｏｓｅｉ)よう
にドレイン電圧の補正デ−タ(Ｖｄｄ＿ｈｏｓｅｉ)を算出するステップ。
（５）Ｖｄｄ＿ｈｏｓｅｉ値に対し、（１）で求めた位相特性の近似式より位相の回転量(ｉｓｏｕ(Ｖｄｄ＿ｈｏｓｅｉ))を算出し、元の位相デ−タから減算するステップ。
以上のステップで補正位相デ−タが算出される。
次に（数１）から（数７）を用いて上記算出手順を具体的に説明する。
図３におけるｐｈａｓｅ、ｐｈａｓｅ_ｈｏｓｅｉ、ｉｓｏｕ、ｉｓｏｕ_ｈｏｓｅｉの絶対値は１であるので、振幅補正値Ｖｄｄ＿ｈｏｓｅｉを計算する場合、以下の（数式１）を解けばよい。この（数１）を解くことで振幅補正値を算出する事が出来る。
【００１３】
（数１）
ｇａｉｎ(Ｖｄｄ) = ｇａｉｎ(Ｖｄｄ＿ｈｏｓｅｉ)
この（数１）を解くため、（数２）から（数５）を算出する。（数２）と（数３）はそれぞれ線形ＡＭＰの利得ｇａｉｎ(Ｖｄｄ)、非線形ＡＭＰの利得ｇａｉｎ (Ｖｄｄ＿ｈｏｓｅｉ)を示し、Ａ、Ｂの係数を持つ多項式で表される。（｛ｎ｝はｎ乗を示す）。
なお、以下の計算では、利得／位相近似式は共に１０次の多項式とする。この利得／位相近似式の次数は演算精度や演算速度を考慮し変更することができる。
前記ステップ（４）より、（数４）が求められ、この（数４）より（数５）が成立する。（数５）の実数解をＶｄｄ＿ｈｏｓｅｉとすることにより、電力増幅器に印加する補正Ｖｄｄ(Ｖｄｄ＿ｈｏｓｅｉ)値が求まる。
【００１４】
（数２）
ｇａｉｎ(Ｖｄｄ) = Ａ１*Ｖｄｄ
【００１５】
（数３）
ｇａｉｎ (Ｖｄｄ＿ｈｏｓｅｉ) = Ｂ１*Ｖｄｄ＿ｈｏｓｅｉ｛１０｝ + Ｂ２*Ｖｄｄ＿ｈｏｓｅｉ｛９｝ + ・・+ Ｂ１０*Ｖｄｄ＿ｈｏｓｅｉ + Ｂ１１
【００１６】
（数４）
ｇａｉｎ(Ｖｄｄ) = ｇａｉｎ(Ｖｄｄ＿ｈｏｓｅｉ)  
数式４より、
【００１７】
（数５）
Ｂ１*Ｖｄｄ＿ｈｏｓｅｉ｛１０｝ + Ｂ２*Ｖｄｄ＿ｈｏｓｅｉ｛９｝ +・・ + １０*Ｖｄｄ＿ｈｏｓｅｉ + Ｂ１１ - Ａ１*Ｖｄｄ = ０
次に位相補正データを算出する。補正位相デ−タはｉｓｏｕ(Ｖｄｄ＿ｈｏｓｅｉ)を算出することにより求まる。
ｉｓｏｕ(Ｖｄｄ＿ｈｏｓｅｉ)は係数Ｃを持つ以下の多項式で表される。
【００１８】
（数６）
ｉｓｏｕ (Ｖｄｄ＿ｈｏｓｅｉ) = Ｃ１*Ｖｄｄ＿ｈｏｓｅｉ｛１０｝ + Ｃ２*Ｖｄｄ＿ｈｏｓｅｉ｛９｝+・ + Ｃ１０*Ｖｄｄ＿ｈｏｓｅｉ + Ｃ１１   
（数式５）で求めたＶｄｄ＿ｈｏｓｅｉ値を、（数式６）に代入することにより位相回転量を算出する。この算出された位相回転量で補正前の元のデ−タSinの位相デ−タ(ｐｈａｓｅ)を割ることにより、位相補正デ−タ（ｐｈａｓｅ_ｈｏｓｅｉ）が算出される。つまり、
【００１９】
（数７）
ｐｈａｓｅ_ｈｏｓｅｉ = ｐｈａｓｅ ／ ｉｓｏｕ(Ｖｄｄ＿ｈｏｓｅｉ)。
以上により、振幅補正値と位相補正値を算出することが可能となる。
なお、本例ではn次元の多項式近似の表現を用いたが、ＡＭＰ特性によっては他の数式を用いても良い。例えば、対数、指数、累乗近似式などである。また、次数は本説明では10次を用いたが、適時変更することが可能である。
上記手順で振幅及び位相補正デ−タを算出し、そのデータに基づいて振幅および位相の補正を行う事で、電力増幅器の出力信号波形は入力信号と同程度の低歪なものとなり、不要な歪成分が発生しないことから高効率化が達成できる。
【実施例２】
【００２０】
図４は本発明装置の実施例２の形態を示すブロック構成図である。本実施例では、既に従来構成（図５）または実施例１（図１）で説明したブロックと同一のブロック（同一番号で指定）に加え、振幅補正回路４３より成る振幅補正部４００、および遅延器（ｄｅｌａｙ）４１３と遅延器４５と移相器４６とフィルタ４９より成る位相補正部４０２、および位相比較器４１２とリミッタ４１１より成る位相誤差成分抽出部４０１、および乗算器４７とフィルタ４８より成る振幅成分抽出部４０３で構成される。
以下その動作について説明する。分離されたアナログ振幅情報はオペレーショナルアンプ（ＯＰアンプ）等で実現できる差動増幅器で構成された振幅補正回路４３に入力される。また、振幅補正回路４３では、振幅成分抽出部４０３が電力増幅器５８出力信号から抽出した振幅信号成分が入力されてアナログ振幅情報との差分情報が得られる。この差分情報に基づいて振幅信号が補正される。なお、電力増幅器５８出力信号の振幅信号成分の抽出は、電力増幅器５８出力信号とリミッタ４１１で抽出した電力増幅器５８出力信号の位相成分を乗算器４７で乗算し、更にフィルタ４８で平滑化して前記位相成分を除去する事で得られる。補正された振幅信号は電流増幅器１５に入力された後、電力増幅器５８の電源部に入力される。更に、この振幅補正情報より位相回転量が算出されてその算出値が移相器４６に入力さる。
一方、分離されたアナログ位相情報は位相補正部４０２で位相補正される。以下その動作を説明する。アナログ位相情報は遅延回路４１３に分岐され、分岐された位相情報は位相比較器４１２へ入力される。位相比較器４１２では電力増幅器５８からの出力よりリミッタ回路４１１で振幅成分を除去して抽出された位相信号と元のアナログ位相情報との位相が比較される。位相比較されて抽出された位相誤差成分はフィルタ４９にて平滑化される。平滑化された位相差信号は、実施例１と同様に振幅補正回路４３の振幅補正情報より算出された位相回転量で補正されて移相器４６に入力される。位相回転量の算出処理は振幅補正回路４３を構成しているＯＰアンプに代表されるアナログ演算回路で実現している。移相器４６は入力された位相補正値に応じて位相値を補正するもので、電力増幅器出力で生じる位相誤差量を打ち消すように制御される。なお、この移相器４６は可変容量ダイオ−ドなどで実現できる。
位相補正されたアナログ位相情報は、ミキサ１１４にてＬｏ源１１５により無線周波数帯（ＲＦ）信号へと周波数変換され電力増幅器５８のＲＦ入力端へ入力される。
以上のような構成によりアナログ信号部において補償動作を行なうことが可能となるため、高度な数値演算信号処理部を具備する事無く歪特性の改善を図ることができる。
【産業上の利用可能性】
【００２１】
振幅および位相情報を有する多値変調信号として用いる、高速、広帯域な無線デ−タ通信装置に適用できる。例えば、移動体通信基地局と端末局、地上波ディジタル送受信機、無線LＡN基地局と端末局などに適用できる。
【図面の簡単な説明】
【００２２】
【図１】実施例１におけるＥＥＲ方式の歪補償を行うためのブロック図
【図２】実施例１におけるＥＥＲ方式の歪補償を行うための手順を示す図
【図３】実施例１における振幅および位相の補正デ−タの算出方法を説明する図
【図４】実施例２におけるＥＥＲ方式の歪補償を行うためのブロック図
【図５】従来のＥＥＲ方式の歪み補償技術を説明するブロック図
【図６】電力増幅器の電源電圧（ドレイン電圧）に対する利得と位相特性を示す図
【符号の説明】
【００２３】
１１    アナログデジタル変換器（ＡＤ）
１２   遅延回路
１３   加算器
１４   デジタルアナログ変換器（ＤＡ）
１５   電流増幅器
１７   遅延回路
１８   加算器
１９   ＬＵＴ（ルックアップテーブル）
１１０  ＡＤ変換器
１１１  遅延回路
１１２  加算回路
１１３  ＤＡ変換器
１１４  ミキサ
１１５  ＬＯ源（局部発振器）
１１７  直交／極変換器
１１８  ＡＤ変換器
１１９  ＡＤ変換器
１２０  遅延回路
１２１  加算器
１２２  ＬＵＴ
４３   振幅補正回路
４５   遅延回路
４６   移相器
４７  乗算器
４８  フィルタ
４９  フィルタ
４１１   リミッタ
４１２   位相比較器
４１３   遅延回路
５２  信号マッパ
５３  時間整列回路
５４ａ，５４ｂ  ＢＬＦ(帯域制限フィルタ)
５５  直交／極座標変換器
５６  振幅補正回路
５７  位相補正回路
５８  電力増幅器
５９  カプラ
５１０  角度測定回路
５１１  振幅測定回路
５１２  ＬＵＴ
５１３  アンテナ
【図１】
2006253749.tif 000003
【図２】
2006253749.tif 000004
【図３】
2006253749.tif 000005
【図４】
2006253749.tif 000006
【図５】
2006253749.tif 000007
【図６】
2006253749.tif 000008